(57)【要約】      （修正有）【課題】色階調と高解像度とを両立させた擬似階調画像の生成方法を提供する。【解決手段】減色処理方法に関する情報を記録した複数の画像構成要素を生成し、前記記録された情報に基づいて夫々の画像構成要素に所定の減色処理を施し、これらの減色処理済みの画像構成要素６１１、６１２、６２１、６２２、６３１を重ね合わせて擬似階調画像５を生成するようにしたので、色階調が重要な要素、解像度が重要な要素等にそれぞれ適した減色処理を行うことができ、色階調と高解像度とを両立させた高品質な減色画像を生成可能となる。【選択図】図２
2008009508.tif 000002
【特許請求の範囲】
【請求項１】
減色処理方法に関する情報を記録した複数の画像構成要素を生成する第１のステップと、前記夫々の画像構成要素を前記記録された情報に基づいて所定の減色処理を施す第２のステップと、前記減色処理された夫々の画像構成要素を重ね合わせて擬似階調画像を生成する第３のステップとを備えた擬似階調画像の生成方法。
【請求項２】
減色処理方法に関する情報を記録した複数の画像構成要素を生成する第１のステップと、前記複数の画像構成要素を前記記録された情報に基づき同一の減色処理を施すべき画像構成要素毎に重ね合せる第２のステップと、前記重ね合わせた画像構成要素毎に夫々所定の減色処理を施す第３のステップと、前記減色処理された夫々の画像構成要素を重ね合わせて擬似階調画像を生成する第４のステップとを備えた擬似階調画像の生成方法。
【請求項３】
画像構成に関する情報を記録した複数の画像構成要素を生成する第１のステップと、前記複数の画像構成要素を重ね合せると共に夫々の画素の構成に関する情報を記録する第２のステップと、前記重ね合わせた画像構成要素を前記記録された画素の構成に関する情報に基づいて同一の減色処理を施すべき画像情報毎に分解する第３のステップと、前記分解された複数の画像情報に夫々所定の減色処理を施す第４のステップと、前記減色処理された夫々の画像情報を重ね合わせて擬似階調画像を生成する第５のステップとを備えた擬似階調画像の生成方法。
【請求項４】
減色処理方法に関する情報を記録した複数の画像構成要素を生成する画像生成部と、前記画像生成部により生成された夫々の画像構成要素を前記記録された情報に基づいて所定の減色処理を施す減色処理部と、前記減色処理部により減色処理された夫々の画像構成要素を重ね合わせて擬似階調画像を生成する画像合成部とを備えた擬似階調画像生成装置。
【請求項５】
減色処理方法に関する情報を記録した複数の画像構成要素を生成する画像生成部と、前記複数の画像構成要素を前記記録された情報に基づき同一の減色処理を施すべき画像構成要素毎に重ね合せるレイヤ合成部と、前記レイヤ合成部により重ね合わされた画像構成要素毎に夫々所定の減色処理を施す減色処理部と、前記減色処理された夫々の画像構成要素を重ね合わせて擬似階調画像を生成する画像合成部とを備えた擬似階調画像生成装置。
【請求項６】
画像構成に関する情報を記録した複数の画像構成要素を生成する画像生成部と、前記画像生成部により生成された複数の画像構成要素を重ね合せると共に夫々の画素の構成に関する情報を記録するレイヤ合成部と、前記レイヤ合成部により重ね合わされた画像構成要素を前記記録された画素の構成に関する情報に基づいて同一の減色処理を施すべき画像情報毎に分解する減色処理別分解部と、前記減色処理別分解部により分解された複数の画像情報に夫々所定の減色処理を施す減色処理部と、前記減色処理部により減色処理された夫々の画像情報を重ね合わせて擬似階調画像を生成する画像合成部とを備えた擬似階調画像生成装置。
【発明の詳細な説明】
【技術分野】
【０００１】
この発明は、表示色数の少ない表示装置を用いても多色表現を可能とする擬似階調画像を生成する擬似階調画像の生成方法及びその装置に関するものである。
【背景技術】
【０００２】
従来、画像データと設定されている色空間とを比較して画像処理方法を判別し、その判別結果に従って色変換回路から供給されたデータに対して夫々定められた処理を行い、その処理したデータを表示装置に供給して画像を表示するようにし、予め分類された画像データの種類に応じて最適な画像処理を施して画質劣化の少ない画像を得るようにした画像処理装置が提案されている（例えば、特許文献１参照）。
【０００３】
又、出力先の特性に応じて各画像データプレーン毎に階調数の変換処理を行い、写真画像や文字、線画画像等が混在する画像であっても、画質劣化を抑えて保存するようにした画像処理装置が提案されている（例えば、特許文献２参照）。
【０００４】
更に、画像データを複数のマスクレイヤに変換し、夫々のマスクレイヤに適した画像処理をこれらに施した後、夫々のマスクレイヤを重ね合わせて画像を形成するようにした画像処理装置が提案されている（例えば、特許文献３参照）。
【０００５】
【特許文献１】特開平８−０８３０５７号公報
【特許文献２】特開平１１−２６１８３３号公報
【特許文献３】特開２００４−３４１０９０号公報
【発明の開示】
【発明が解決しようとする課題】
【０００６】
しかしながら、このような従来の装置の場合、多色画像の解析が難しく、最適ではない減色方法が選択されたり、文字や、線画の抽出の失敗が発生する可能性がある等の課題があった。
【０００７】
この発明は、従来の装置における上記のような課題を解決するためになされたものであり、画像構成要素に最適な減色処理を施して滑らかな色階調と高解像度とが両立した擬似階調画像の生成方法及び擬似階調画像生成装置を得ることを目的とする。
【課題を解決するための手段】
【０００８】
この発明に係る擬似階調画像の生成方法は、減色処理方法に関する情報を記録した複数の画像構成要素を生成する第１のステップと、前記夫々の画像構成要素を前記記録された情報に基づいて所定の減色処理を施す第２のステップと、前記減色処理された夫々の画像構成要素を重ね合わせて擬似階調画像を生成する第３のステップとを備えるものである。
【０００９】
又、この発明に係る擬似階調画像の生成方法は、減色処理方法に関する情報を記録した複数の画像構成要素を生成する第１のステップと、前記複数の画像構成要素を前記記録された情報に基づき同一の減色処理を施すべき画像構成要素毎に重ね合せる第２のステップと、前記重ね合わせた画像構成要素毎に夫々所定の減色処理を施す第３のステップと、前記減色処理された夫々の画像構成要素を重ね合わせて擬似階調画像を生成する第４のステップとを備えるものである。
【００１０】
更に、この発明に係る擬似階調画像の生成方法は、画像構成に関する情報を記録した複数の画像構成要素を生成する第１のステップと、前記複数の画像構成要素を重ね合せると共に夫々の画素の構成に関する情報を記録する第２のステップと、前記重ね合わせた画像構成要素を前記記録された画素の構成に関する情報に基づいて同一の減色処理を施すべき画像情報毎に分解する第３のステップと、前記分解された複数の画像情報に夫々所定の減色処理を施す第４のステップと、前記減色処理された夫々の画像情報を重ね合わせて擬似階調画像を生成する第５のステップとを備えるものである。
【００１１】
又、この発明に係る擬似階調画像生成装置は、減色処理方法に関する情報を記録した複数の画像構成要素を生成する画像生成部と、前記画像生成部により生成された夫々の画像構成要素を前記記録された情報に基づいて所定の減色処理を施す減色処理部と、前記減色処理部により減色処理された夫々の画像構成要素を重ね合わせて擬似階調画像を生成する画像合成部とを備えるものである。
【００１２】
又、この発明に係る擬似階調画像生成装置は、減色処理方法に関する情報を記録した複数の画像構成要素を生成する画像生成部と、前記複数の画像構成要素を前記記録された情報に基づき同一の減色処理を施すべき画像構成要素毎に重ね合せるレイヤ合成部と、前記レイヤ合成部により重ね合わされた画像構成要素毎に夫々所定の減色処理を施す減色処理部と、前記減色処理された夫々の画像構成要素を重ね合わせて擬似階調画像を生成する画像合成部とを備えるものである。
【００１３】
更に、この発明に係る擬似階調画像生成装置は、画像構成に関する情報を記録した複数の画像構成要素を生成する画像生成部と、前記画像生成部により生成された複数の画像構成要素を重ね合せると共に夫々の画素の構成に関する情報を記録するレイヤ合成部と、前記レイヤ合成部により重ね合わされた画像構成要素を前記記録された画素の構成に関する情報に基づいて同一の減色処理を施すべき画像情報毎に分解する減色処理別分解部と、前記減色処理別分解部により分解された複数の画像情報に夫々所定の減色処理を施す減色処理部と、前記減色処理部により減色処理された夫々の画像情報を重ね合わせて擬似階調画像を生成する画像合成部とを備えるものである。
【発明の効果】
【００１４】
この発明に係る擬似階調画像の生成方法よれば、減色処理方法に関する情報を記録した複数の画像構成要素を生成し、前記記録された情報に基づいて夫々の画像構成要素に所定の減色処理を施すようにしたので、色階調が重要な要素、解像度が重要な要素等にそれぞれ適した減色処理を行うことができ、色階調と高解像度を両立した高品質な減色画像を生成可能となる。
【００１５】
又、この発明に係る擬似階調画像の生成方法よれば、減色処理方法に関する情報を記録した複数の画像構成要素を生成し、前記複数の画像構成要素を前記記録された情報に基づき同一の減色処理を施すべき画像構成要素毎に重ね合せ、前記重ね合わせた画像構成要素毎に夫々所定の減色処理を施すようにしたので、各画像構成要素のマスク境界を越えた減色処理が可能となる。
【００１６】
又、この発明に係る擬似階調画像の生成方法よれば、画像構成に関する情報を記録した複数の画像構成要素を生成し、前記複数の画像構成要素を重ね合せると共に夫々の画素の構成に関する情報を記録し、前記重ね合わせた画像構成要素を前記記録された画素の構成に関する情報に基づいて同一の減色処理を施すべき画像情報毎に分解し、前記分解された複数の画像情報に夫々所定の減色処理を施すようにしたので、半透明表現を加えた効果的な減色処理が可能となる。
【００１７】
この発明に係る擬似階調画像生成装置によれば、減色処理方法に関する情報を記録した複数の画像構成要素を生成する画像生成部と、前記画像生成部により生成された夫々の画像構成要素を前記記録された情報に基づいて所定の減色処理を施す減色処理部とを備えたので、色階調が重要な要素、解像度が重要な要素等にそれぞれ適した減色処理を行うことができ、色階調と高解像度を両立した高品質な減色画像を生成可能となる。
【００１８】
又、この発明に係る擬似階調画像生成装置によれば、減色処理方法に関する情報を記録した複数の画像構成要素を生成する画像生成部と、前記複数の画像構成要素を前記記録された情報に基づき同一の減色処理を施すべき画像構成要素毎に重ね合せるレイヤ合成部と、前記レイヤ合成部により重ね合わされた画像構成要素毎に夫々所定の減色処理を施す減色処理部とを備えたので、各画像構成要素のマスク境界を越えた減色処理が可能となる。
【００１９】
又、この発明に係る擬似階調画像の生成方法よれば、画像構成に関する情報を記録した複数の画像構成要素を生成する画像生成部と、前記画像生成部により生成された複数の画像構成要素を重ね合せると共に夫々の画素の構成に関する情報を記録するレイヤ合成部と、前記レイヤ合成部により重ね合わされた画像構成要素を前記記録された画素の構成に関する情報に基づいて同一の減色処理を施すべき画像情報毎に分解する減色処理別分解部と、前記減色処理別分解部により分解された複数の画像情報に夫々所定の減色処理を施す減色処理部とをそなえたので、半透明表現を加えた効果的な減色処理が可能となる。
【発明を実施するための最良の形態】
【００２０】
実施の形態１．
以下、この発明の実施の形態１による擬似階調画像の生成方法及び擬似階調画像生成装置について説明する。図１は実施の形態１に係る擬似階調画像生成装置のブロック図、図２はそのフロー図である。図１及び図２に於いて、画像生成部１は、例えば、現在の気温やニュースの表示等、入力されたデータに基づき逐次、動的に原画像を生成処理するもので、図２に示すように、文字生成部１１、図形生成部１２、及び自然画生成部１３を備える。
【００２１】
文字生成部１１は、第１の文字情報２１１と第２の文字情報２１２を含む第１の画像構成要素２１を生成する。図形生成部１２は、第１の図形情報２２１と第２の図形情報２２２を含む第２の画像構成要素２２を生成する。自然画生成部１３は、自然画情報２３１からなる第３の画像構成要素２３を生成する。画像生成部１は、生成する第１の画像構成要素２１、第２の画像構成要素２２、第３の画像構成要素２３に対して、減色処理方法、夫々の画素データ、各画素の透過・非透過を表す２値のマスク値、画像構成要素間の重ねあわせ順序等の画像構成に関する情報を記録し、夫々の画像構成要素に適した減色処理方法を設定する。
【００２２】
減色処理部３は、第１の減色処理部３１と第２の減色処理部３２と第３の減色処理部３３とを備える。第１の減色処理部３１は、第１の文字情報２１１と第２の文字情報２１２を含む第１の画像構成要素２１を、その記録された減色処理方法に関する情報に基づいて、その画像構成要素に最も適する単純近似法により減色処理を行う。文字情報の場合、サイズの小さい文字等は色よりも可読性が大切であり画素単位の表現が重要であるので、文字情報に対する減色処理法としては、画素単位で単純に最も近い色に変更するのみである単純近似法が適している。従って、第１の文字情報２２１と第２の文字情報２２２とを含む第１の画像構成要素２１には、予め、画像生成部１により、減色処理方法に関する情報として単純近似法により減色処理を行うための情報が記録されている。
【００２３】
第２の減色処理部３２は、第１の図形情報２２１と第２の図形情報２２２を含む第２の画像構成要素２２を、その設定された減色処理方法である周知のディザパターン法により減色処理を行う。図形の場合、あるエリアが均一に塗りつぶされることが多く、ベタ塗りの表現が重要であり、又、描画要素に直線や単純な曲線等、幾何学的な図形が多い図形情報に対する減色処理法としては、ベタ塗りを規則的なパターンで表現するディザパターン法が適している。従って、第１の図形情報２２１と第２の図形情報２２２とを含む第２の画像構成要素２２には、予め、画像生成部１により、減色処理方法に関する情報としてディザパターン法により減色処理を行うための情報が記録されている。
【００２４】
第３の減色処理部３３は、自然画情報２３１を含む第３の画像構成要素２３を、その設定された減色処理方法である周知の誤差拡散法により減色処理を行う。自然画情報の場合、ベタ塗りが非常に少なく、表現色が多く且つ色が滑らかに変化し、描画要素に直線や単純な曲線が殆どない。従って、写真等の自然画情報に対する減色処理法としては、ある程度の面積を用いて色の再現誤差を少なくし、色階調再現性の高い周知の誤差拡散法が適している。そのため、自然画情報２３１を含む第３の画像構成要素２３には、予め、画像生成部１により、減色処理方法に関する情報として誤差拡散法により減色処理を行うための情報が記録されている。
【００２５】
第１の画像構成要素２１の第１の文字情報２１１と第２の文字情報２１２は、第１の減色処理部３１により単純近似法により減色処理されて、夫々、第１の減色済文字情報６１１、第２の減色済文字情報６１２となる。第２の画像構成要素２２の第１の図形情報２２１と第２の図形情報２２２は、第２の減色処理部３２によりディザパターン法により減色処理されて、夫々、第１の減色済図形情報６２１と第２の減色済図形情報６２２となる。第３の画像構成要素３３の自然画情報２３１は、第３の減色処理部３３により誤差拡散法により減色処理されて、減色済自然画情報６３１となる。
第１の減色済文字情報６１１、第２の減色済文字情報６１２、第１の減色済図形情報６２１、第２の減色済図形情報６２２、及び減色済自然画情報６３１を総称して、減色済画像構成要素６と称する。
【００２６】
画像合成部４は、減色処理部３から、第１の減色済文字情報６１１、第２の減色済文字情報６１２、第１の減色済図形情報６２１、第２の減色済図形情報６２２、及び減色済自然画情報６３１が入力される。前記したように、夫々の画像構成要素には、予め画像生成部１により、各画素の透過・非透過を表すマスク値、画像構成要素間の重ねあわせ順序等の情報が記録されており、画像合成部４は、その記録により設定された重ね合わせ順序及び各画素のマスク値に応じて、第１の減色済文字情報６１１、第２の減色済文字情報６１２、第１の減色済図形情報６２１、第２の減色済図形情報６２２、及び減色済自然画情報６３１の重ね合せ処理を行い、１枚の擬似階調画像５を出力する。
【００２７】
次に動作について説明する。図１及び図２に於いて、先ず、画像生成部１の文字生成部１１、図形生成部１２、及び自然画生成部１３により、原画像として、夫々第１の文字情報２１１と第２の文字情報２１２とからなる第１の画像構成要素２１、第１の図形情報２２１と第２の図形情報２２２とからなる第２の画像構成要素２２、及び自然画情報２３１からなる第３の画像構成要素２３とを生成する。このとき、夫々の画像構成要素には、前記したように、減色処理方法、重ね合わせ順序、及び各画素の透過・非透過を示す２値のマスク値に関する情報が、画像生成部１により設定され記録される。
【００２８】
次に、第１の文字情報２１１と第２の文字情報２１２とからなる第１の画像構成要素２１は、その記録されている減色処理方法に関する情報に基づいて、減色処理部３のうち単純近似法により減色処理を行う第１の減色処理部３１に入力される。又、第１の図形情報２２１と第２の図形情報２２２とからなる第２の画像構成要素２１は、その記録されている減色処理法に基づいて、減色処理部３のうちディザパターン法により減色処理を行う第２の減色処理部３２に入力される。更に、自然画情報２３１からなる第３の画像構成要素２３は、その記録されている減色処理法に基づいて、減色処理部３のうち誤差拡散法により減色処理を行う第３の減色処理部３３に入力される。
【００２９】
夫々の画像構成要素２１、２２、２３は、減色処理部３の夫々の減色処理部３１、３２、３３により夫々所定の減色処理を施され、第１の減色済文字情報６１１、第２の減色済文字情報６１２、第１の減色済図形情報６２１、第２の減色済図形情報６２２、及び減色済自然画情報６３１として画像合成部４に入力される。
【００３０】
画像合成部４に入力された夫々の減色済画像構成要素６は、画像合成部４により、夫々に記録された情報に基づく重ねあわせ順序、及び各画素のマスク値に応じた重ね合わせ処理が行われ、１枚の擬似階調画像５として出力される。
【００３１】
以上のように、実施の形態１による擬似階調画像の生成方法及び擬似階調画像の生成装置によれば、画像生成部による原画像の生成時に、夫々の画像構成要素に画像構成要素に適した減色処理法、重ね合わせ順序、及びマスク値に関する情報を記録しており、その情報に従って、最適な減色処理、及び画像合成を行うようにしているので、画像構成要素が最適ではない減色方法が選択されたり、文字や、線画の抽出の失敗が発生することがなく、色表現の階調性が重要な自然画等の部分と、１画素の有無表現が重要であり高解像度が必要とされる文字等の部分、及び高解像度と色表現の均一性のバランスが求められる図形等の部分に夫々適した減色処理が行われた良好な色階調と高解像度を両立した高品質な減色画像を生成することが可能である。
【００３２】
実施の形態２．
実施の形態１では、夫々の画像構成要素毎にそれらに適した減色処理法により減色処理を施す場合について述べたが、この場合、夫々の画像構成要素の減色結果は、マスク値で単純に切り取られてしまうため、誤差拡散法等でのマスク境界外側の成分が削除されてしまうことにより、境界部の色表現が不正確となる場合があった。
【００３３】
これに対し、実施の形態２に係る擬似階調画像の生成方法及び擬似階調画像生成装置は、減色処理部により夫々の画像構成要素の減色処理を行う前に、レイヤ合成部により画像構成要素を構成する複数の画像情報をまとめることにより、各画像構成要素のマスク境界を越えた減色処理を可能とするものである。
【００３４】
図３は、実施の形態２に係る擬似階調画像生成装置のブロック図、図４はそのフロー図である。図３及び図４に於いて、レイヤ合成部７は、画像構成要素２を、それに記録されている情報を基に重ね合わせ順序が一番上のものから順に比較し、設定されている減色方法が同一であれば同一レイヤに重ねあわせて合成する。このとき、合成されたレイヤのマスク値は合成した夫々の画像構成要素のマスク値の論理和とする。尚、図３及び図４に於いて、図１及び図２に示す符号と同一の符号は、それと同一又は相当する部分を示す。
【００３５】
次に動作について説明する。図３及び図４に於いて、先ず、画像生成部１の文字生成部１１、図形生成部１２、及び自然画生成部１３により、原画像として、夫々第１の文字情報２１１と第２の文字情報２１２とからなる第１の画像構成要素２１、第１の図形情報２２１と第２の図形情報２２２とからなる第２の画像構成要素２２、及び自然画情報２３１からなる第３の画像構成要素２３とを生成する。このとき、夫々の画像構成要素には、前記したように、減色処理方法、重ね合わせ順序、及び各画素の透過・非透過を示す２値のマスク値に関する情報が、画像生成部１により設定され記録される。
【００３６】
次に、レイヤ合成部７は、画像構成要素２を、それに記録されている情報を基に重ね合わせ順序が一番上のものから順に比較する。その比較の結果、設定されている減色処理方法が同一の単純近似法に設定されている第１の文字情報２１１と第２の文字情報２１２とを同一レイヤに重ね合わせて、量ね合せ文字情報７１とする。このとき、合成されたレイヤのマスク値は、合成した夫々の第１の文字情報２１１と第２の文字情報２１２とに設定されているマスク値の論理和とする。
【００３７】
又、記録されている減色処理方法が同一のディザパターン法に設定されている第１の図形情報２２１と第２の図形情報２２２とを同一レイヤに重ね合わせて、量ね合せ図形情報７２とする。このとき、合成されたレイヤのマスク値は、合成した夫々の第１の図形情報２２１と第２の図形情報２２２とに設定されているマスク値の論理和とする。第３の画像構成要素２３は、この実施の形態２では自然画情報２３１のみであるので、そのままとする。
【００３８】
レイヤ合成部７により合成された重ね合わせ文字情報７１は、その記録された情報により設定されている減色処理法に基づいて、減色処理部３のうち単純近似法により減色処理を行う第１の減色処理部３１に入力される。又、量ね合せ図形情報７２は、その記録された情報により設定されている減色処理法に基づいて、減色処理部３のうちディザパターン法により減色処理を行う第２の減色処理部３２に入力される。更に、自然画情報２３１は、その記録により設定されている減色処理法に基づいて、減色処理部３のうち誤差拡散法により減色処理を行う第３の減色処理部３３に入力される。
【００３９】
夫々の減色処理部３１、３２、３３に入力された重ね合わせ文字情報７１、量ね合わせ図形情報７２、及び自然画情報２３１は、夫々の減色処理法により減色処理され、減色済画像要素６となる。減色済画像要素６は、減色済文字情報６１と、減色済図形情報６２と、減色済自然画情報６３１とから構成される。これらの減色済文字情報６１と、減色済図形情報６２と、減色済自然画情報６３１とは、画像合成部４に入力され、夫々に記録された情報に基づく重ねあわせ順序、及び各画素のマスク値に応じた重ね合わせ処理が行われ、１枚の擬似階調画像５として出力される。
【００４０】
以上のように、実施の形態２による擬似階調画像の生成方法及び擬似階調画像生成装置によれば、減色処理部により夫々の画像構成要素の減色処理を行う前に、レイヤ合成部により画像構成要素を構成する複数の画像情報をまとめることにより、各画像構成要素のマスク境界を越えた減色処理を可能となるものである。
【００４１】
実施の形態３．
実施の形態１及び２では、画像構成要素には半透過の概念がなく、透明か不透明のマスク値による選択のみとしたが、グラフィックデザイン等には半透明の効果が用いられることが多くなっている。そこで、実施の形態３では、夫々の画像構成要素にマスク値ではなく透明度の情報を持たせることにより、半透明表現を加えた効果的な減色処理を可能とするものである。
【００４２】
図５は、実施の形態３に係る擬似階調画像の生成方法及び擬似階調画像生成装置のブロック図、図６はそのフロー図、図７は説明図、図８は動作を説明するためのフローチャートである。尚、図５及び図６に於いて、図１乃至図４に示す符号と同一の符号は、それと同一又は相当する部分を示す。
【００４３】
図５及び図６に於いて、画像生成部１は、例えば、現在の気温やニュースの表示等、入力されたデータに基づき逐次、動的に原画像を生成処理するもので、文字生成部１１、図形生成部１２、及び自然画生成部１３を備える。レイヤ合成部７０は、画像生成部１により生成された夫々の画像構成要素２１、２２、２３を合成してレイヤ合成情報７０１を形成すると共に、この合成されたレイヤ合成情報７０１の各画素に対する減色処理方法を決定する減色処理マップを作成する。
【００４４】
減色処理別分解部８は、レイヤ合成部７０により形成したレイヤ合成情報７０１を、減色処理マップに基づいて減色処理法の種類別に分解する。減色処理部３は、第１の減色処理部３１と第２の減色処理部３２と第３の減色処理部３３とを備える。これらの減色処理部の構成は、実施の形態１及び２と同様である。又、画像合成部４の構成は、実施の形態１及び２のそれと同様である。
【００４５】
次に動作について説明する。図５、図６、及び図８に於いて、先ず、画像生成部１は、全画像構成要素２１、２２、２３を生成する。即ち、文字生成部１１は、第１の文字情報２１１と第２の文字情報２１２を含む第１の画像構成要素２１を生成する。図形生成部１２は、第１の文字情報の背景となる第１の図形情報２２１と、第２の文字情報２１２の背景となる第２の図形情報２２２と生成する。この第１の図形情報２２１と第２の図形情報２２２とは第２の画像構成要素２２を構成する。自然画生成部１３は、自然画情報２３１からなる第３の画像構成要素２３を生成する。
【００４６】
画像生成部１は、生成する第１の画像構成要素２１、第２の画像構成要素２２、第３の画像構成要素２３に対して、それらを構成する各画素の輝度、透明度を示すアルファ値、各画素に適した減色処理方法等の画像構成に関する情報、及び画像構成要素間の重ねあわせ順序に関する情報を夫々の画像構成要素に記録する。
【００４７】
次に、レイヤ合成部７０は、夫々の画像構成要素に記録された情報に基づき、設定された重ね合わせ順序に従って最下層から順番に画像構成要素２１、２２、２３を重ね合わせて量ね合せ画像情報７０１を形成すると共に、この量ね合せ画像情報７０１を構成する全ての画素のＲＧＢ各輝度の計算を行う（ステップＳ１〜Ｓ３）。このとき、下層の画像構成要素に追加する上層の画像構成要素の、ある画素の輝度及びアルファ値をBadd及びαadd、下層まで合成されたときの輝度をBlow とすると、合成された輝度Bnewは、以下に示す式（１）により示される。
Bnew  = αaddBadd + (1―αadd)Blow                式（１）
ここで、透明度を示すアルファ値は、０〜１の範囲の実数値であり、完全に不透明の場合は１、完全な透明の場合は０、５０％の透過率の場合は０．５とする。
【００４８】
次に、減色処理別分解部８は、レイヤ合成部７０により合成された量ね合せ画像情報７０１の各画素の減色処理法を選択する。即ち、上層の画像構成要素のアルファ値と減色処理法を選択するための選択閾値Ｔαとを比較し（ステップＳ４）、そのアルファ値が選択閾値Ｔαを超える場合、上層の画像構成要素に設定されている減色処理法を選択し（ステップＳ５）、そうでない場合は下層の画像構成要素に設定されている減色処理法をそのまま選択する（ステップＳ５）。
【００４９】
減色処理別分解部８は、このようにして量ね合せ画像情報７０１の全ての画素について減色処理方法を選択し、これを減色処理マップとして記録する（ステップＳ６〜Ｓ７）。減色処理選択閾値 Tαは標準的には０とするが、０〜０．９程度の範囲で調整することにより、半透明の減色処理境界を変更し、減色処理法が切り替わる透明度の調整を行うことができる。
【００５０】
次に、減色処理別分解部８は、記録された減色処理マップを元に、量ね合せ画像情報７０１を、減色処理法の種類毎のレイヤに分解し、第１の分解画像情報８１、第２の分解画像情報８２、及び第３の分解画像情報８３を形成する（ステップＳ８）。第１の分解画像情報８１は、単純近似法による減色処理が行われる画像情報である。第２の分解画像情報８２は、ディザパターン法により減色処理が行われる画像情報である。第３の分解画像情報８３は、誤差拡散法により減色処理が行われる画像情報である。
【００５１】
減色処理部３は、第１の分解画像情報８１に対して単純近似法により減色処理を施し、第２の分解画像情報８２に対してディザパターン法により減色処理を施し、第３の分解画像情報８３に対して誤差拡散法により減色処理を施す（ステップＳ９）。最後に、画像合成部４は、減色処理部３により減色処理が施された画像情報を図７に示すように合成して最終の擬似階調画像５とし（ステップＳ１０）、これを表示装置等へ出力する。
【００５２】
以上のように、実施の形態３による擬似階調生成装置によれば、半透明表現を加えた効果的な減色処理が可能となる。
【図面の簡単な説明】
【００５３】
【図１】この発明の実施の形態１に係る擬似階調画像生成装置のブロック図を示す。
【図２】この発明の実施の形態１に係る擬似階調画像生成装置の動作を示すフロー図である。
【図３】この発明の実施の形態２に係る擬似階調画像生成装置のブロック図である。
【図４】この発明の実施の形態２に係る擬似階調画像生成装置の動作を示すフロー図である。
【図５】この発明の実施の形態３に係る擬似階調画像生成装置のブロック図である。
【図６】この発明の実施の形態３に係る擬似階調画像生成装置の動作を示す説明図である。
【図７】この発明の実施の形態３に係る擬似階調画像生成装置を説明するための説明図である。
【図８】この発明の実施の形態３に係る擬似階調画像生成装置の動作を示すフローチャートである。
【符号の説明】
【００５４】
１    画像生成部
１１    文字生成部
１２    図形生成部
１３    自然画生成部
２    画像構成要素
２１    第１の画像構成要素
２２    第２の画像構成要素
２３    第３の画像構成要素
２１１    第１の文字情報
２１２    第２の文字情報
２２１    第１の図形情報
２２２    第２の図形情報
２３１    自然画情報
３    減色処理部
３１    第１の減色処理部
３２    第２の減色処理部
３３    第３の減色処理部
４    画像合成部
５    議事階調画像
６    減色済画像要素
６１１    第１の減色済文字情報
６１２    第２の減色済文字情報
６２１    第１の減色済図形情報
６２２    第２の減色済図形情報
６３１    減色済自然画情報
７、７０    レイヤ合成部
７１    重ね合わせ文字情報
７２    重ね合わせ図形情報
７０１    重ね合わせ五画像情報
８    減色処理別分解部
８１    第１の分解画像情報
８２    第２の分解画像情報
８３    第３の分解画像情報
【図１】
2008009508.tif 000003
【図２】
2008009508.tif 000004
【図３】
2008009508.tif 000005
【図４】
2008009508.tif 000006
【図５】
2008009508.tif 000007
【図６】
2008009508.tif 000008
【図７】
2008009508.tif 000009
【図８】
2008009508.tif 000010